(57)【特許請求の範囲】
【請求項１】
天板に開設したバーナ用開口を通して天板上に突出するバーナヘッドを有するコンロバーナと、天板上にバーナ用開口を囲うようにして設置される五徳とを備えるガスコンロであって、
バーナヘッドの外周部に、五徳の複数の五徳爪と同一方位に位置する複数の五徳合致領域の間の各炎口形成領域に位置させて、混合気が噴出する主炎口が周方向の間隔を存して複数形成され、各主炎口は、混合気噴出方向がバーナヘッドの放射方向に対し周方向一方に傾斜するように形成され、各五徳爪も、その長手方向がバーナヘッドの放射方向に対し周方向一方に傾斜するように形成されるものにおいて、
バーナヘッドの放射方向に対する主炎口の混合気噴出方向の傾斜角度は、各炎口形成領域の周方向一方の端部に形成する主炎口よりも周方向他方の端部に形成する主炎口の方が小さいことを特徴とするガスコンロ。
【請求項２】
前記各主炎口の前記傾斜角度を、前記各炎口形成領域の周方向一方の端部に形成する主炎口から周方向他方の端部に形成する主炎口に向けて順に小さくすることを特徴とする請求項１記載のガスコンロ。
【請求項３】
前記コンロバーナは、前記バーナヘッドの外周部に、親バーナ炎口として前記主炎口を形成すると共に、主炎口よりも下方に周方向の間隔を存して子バーナ炎口を複数形成した親子バーナであり、各子バーナ炎口は、混合気噴出方向がバーナヘッドの放射方向に一致するように形成され、バーナヘッドの周方向１箇所に形成する子バーナ炎口を点火炎口とし、バーナヘッドの外周面に、点火炎口の上方位置から放射方向に突出する、点火電極に対向するターゲット部が形成されることを特徴とする請求項１又は２記載のガスコンロ。
【発明の詳細な説明】
【技術分野】
【０００１】
本発明は、天板に開設したバーナ用開口を通して天板上に突出するバーナヘッドを有するコンロバーナと、天板上にバーナ用開口を囲うようにして設置される五徳とを備えるガスコンロに関する。
【背景技術】
【０００２】
従来、この種のガスコンロとして、バーナヘッドの外周部に、五徳の複数の五徳爪と同一方位に位置する複数の五徳合致領域の間の各炎口形成領域に位置させて、混合気が噴出する主炎口が周方向の間隔を存して複数形成され、各主炎口は、混合気噴出方向がバーナヘッドの放射方向に対し周方向一方に傾斜するように形成され、各五徳爪も、その長手方向がバーナヘッドの放射方向に対し周方向一方に傾斜するように形成されるものが知られている（例えば、特許文献１参照）。
【０００３】
このものでは、主炎口から噴出する混合気の燃焼で形成される火炎が放射方向に対し周方向一方に傾斜して、五徳に載置する調理容器の底面に対する火炎の接触長さが長くなり、熱効率が向上する。この場合、五徳爪の長手方向がバーナヘッドの放射方向に一致していると、各炎口形成領域の周方向一方の端部に形成する主炎口からのびる火炎が五徳爪に接触して不完全燃焼するが、五徳爪の長手方向を上記の如く放射方向に対し周方向一方に傾斜させることにより、火炎が五徳爪に接触することを防止できる。
【０００４】
ここで、上記従来例のものでは、バーナヘッドの放射方向に対する主炎口の混合気噴出方向の傾斜角度を全ての主炎口で等しくしている。然し、これでは、各炎口形成領域の周方向他方の端部に形成する主炎口からのびる火炎とこれに隣接する五徳爪との間の周方向間隔が広くなる。そして、この間隔部分では調理容器を火炎で有効に加熱できないため、調理容器の加熱面積が減少して、熱効率の更なる向上を図ることが困難になる。
【先行技術文献】
【特許文献】
【０００５】
【特許文献１】特開２００３−１６６７１８号公報
【発明の概要】
【発明が解決しようとする課題】
【０００６】
本発明は、以上の点に鑑み、熱効率を可及的に向上できるようにしたガスコンロを提供することをその課題としている。
【課題を解決するための手段】
【０００７】
上記課題を解決するために、本発明は、天板に開設したバーナ用開口を通して天板上に突出するバーナヘッドを有するコンロバーナと、天板上にバーナ用開口を囲うようにして設置される五徳とを備えるガスコンロであって、バーナヘッドの外周部に、五徳の複数の五徳爪と同一方位に位置する複数の五徳合致領域の間の各炎口形成領域に位置させて、混合気が噴出する主炎口が周方向の間隔を存して複数形成され、各主炎口は、混合気噴出方向がバーナヘッドの放射方向に対し周方向一方に傾斜するように形成され、各五徳爪も、その長手方向がバーナヘッドの放射方向に対し周方向一方に傾斜するように形成されるものにおいて、バーナヘッドの放射方向に対する主炎口の混合気噴出方向の傾斜角度は、各炎口形成領域の周方向一方の端部に形成する主炎口よりも周方向他方の端部に形成する主炎口の方が小さいことを特徴とする。
【０００８】
本発明によれば、各炎口形成領域の周方向他方の端部に形成する主炎口の前記傾斜角度を小さくしているため、当該主炎口からのびる火炎とこれに隣接する五徳爪との間の周方向間隔が狭くなる。そして、この間隔が狭くなる分、調理容器の加熱面積が増加し、熱効率が向上する。
【０００９】
また、本発明においては、各主炎口の前記傾斜角度を、各炎口形成領域の周方向一方の端部に形成する主炎口から周方向他方の端部に形成する主炎口に向けて順に小さくすることが望ましい。これによれば、各主炎口からのびる火炎とこれに隣接する主炎口からのびる火炎との間の角度が炎口形成領域全体に亘り均等になり、熱効率が可及的に向上する。
【００１０】
尚、バーナヘッドの外周部の周方向１箇所に形成する主炎口を点火炎口として、点火炎口から噴出する混合気に点火電極により点火することも考えられる。然し、これでは、バーナヘッドの外周面に、点火電極に対向するターゲット部を、点火炎口からの混合気噴出方向に合わせて、バーナヘッドの放射方向に対し周方向一方に傾斜した方向に突出するように形成することが必要になり、ターゲット部の加工が面倒になる。
【００１１】
ここで、コンロバーナが、バーナヘッドの外周部に、親バーナ炎口として前記主炎口を形成すると共に、主炎口よりも下方に周方向の間隔を存して子バーナ炎口を複数形成した親子バーナである場合、ターンダウン比を大きくする上で、子バーナ炎口のみから混合気を噴出する弱火時における調理容器の加熱量をできるだけ小さくすることが必要であり、そのためには、各子バーナ炎口を混合気噴出方向がバーナヘッドの放射方向に一致するように形成した方が良い。そして、バーナヘッドの周方向１箇所に形成する子バーナ炎口を点火炎口とすれば、点火炎口の混合気噴出方向はバーナヘッドの放射方向に一致するため、点火電極に対向するターゲット部は、バーナヘッドの外周面に点火炎口の上方位置から放射方向に突出するように形成すれば済み、ターゲット部の加工が容易になる。
【図面の簡単な説明】
【００１２】
【図１】本発明の実施形態のガスコンロの要部を示す斜視図。
【図２】図１のＩＩ−ＩＩ線で切断した断面図。
【図３】実施形態のガスコンロに設けられるコンロバーナの斜視図。
【図４】コンロバーナの下ヘッド部材の底面図。
【図５】コンロバーナの上ヘッド部材を取り外した状態のガスコンロの要部の平面図。
【発明を実施するための形態】
【００１３】
図１及び図２を参照して、１は、図示省略したコンロ本体の上面を覆う天板である。天板１には、バーナ用開口１ａが開設されている。そして、天板１上に、バーナ用開口１ａを囲うようにして、環状の五徳枠２１に複数の五徳爪２２を取り付けて成る五徳２を設置すると共に、コンロ本体に、バーナ用開口１ａに臨ませてコンロバーナ３を設置し、ガスコンロを構成している。
【００１４】
図３も参照して、コンロバーナ３は親子バーナであり、親バーナ混合管４１及び子バーナ混合管４２と、両混合管４１，４２に連なり、バーナ用開口１ａに挿入されるバーナボディ５と、バーナボディ５に装着され、天板１上に突出する平面視円形のバーナヘッド６とを備える。バーナヘッド６の外周部には、親バーナ炎口としての主炎口７１とそれより下方の子バーナ炎口７２とが夫々周方向の間隔を存して複数形成されている。尚、五徳２の複数の五徳爪２２と同一方位に位置するバーナヘッド６の周方向領域（正確には、五徳爪２２の内方への延長線とバーナヘッド６との交差点を中心とする所定の周方向範囲の領域）を五徳合致領域６ａとして、各五徳合致領域６ａには、五徳爪２２に火炎が触れて不完全燃焼することを防止するため、主炎口７１を形成せずに子バーナ炎口７２のみを形成している。
【００１５】
バーナボディ５は、外側の筒体５１と中間の筒体５２と内側の筒体５３との内外３重の筒体で構成され、中間筒体５２と内側筒体５３との間に親バーナ混合管４１からの混合気（燃料ガスと一次空気との混合ガス）が供給され、外側筒体５１と中間筒体５２との間に子バーナ混合管４２からの混合気が供給される。外側筒体５１には、その上端部外周から垂下するスカート部５１ａが設けられている。そして、スカート部５１ａに、バーナ用開口１ａを覆うバーナリング５４を外挿し、このバーナリング５４に五徳枠２１を外挿することにより、五徳２をコンロバーナ３に対し芯決めできるようにしている。
【００１６】
また、コンロバーナ３には、バーナリング５４を通して上方に突出する点火電極８と熱電対９とが付設されており、これら点火電極８と熱電対９によりバーナリング５４がコンロバーナ３に対し回り止めされる。そして、五徳枠２１の内周の２箇所に突起２１ａを形成すると共に、バーナリング５４の外周の２箇所に切欠き５４ａを形成し、各突起２１ａを各切欠き５４ａに係合させることにより、五徳２をコンロバーナ３に対し位相決めできるようにしている。
【００１７】
バーナヘッド６は、バーナボディ５の外側筒体５１の上端部に着座する外筒部６１ａと、外筒部６１ａの下部内周から内方に張り出して下方にのびバーナボディ５の中間筒体５２に嵌合する内筒部６１ｂとを有する円環状の下ヘッド部材６１と、外筒部６１ａの上端に着座し、下面にバーナボディ５の内側筒体５３に嵌合する筒部６２ａを垂設した円板状の上ヘッド部材６２とで構成されている。
【００１８】
下ヘッド部材６１の外筒部６１ａには、複数の五徳合致領域６ａ間の各炎口形成領域に位置させて、外筒部６１ａの上端面から下方に窪む主炎口７１となる溝が周方向の間隔を存して複数形成されている。そして、これらの溝の上端が上ヘッド部材６２により閉塞されることで、下ヘッド部材６１と上ヘッド部材６２との間に主炎口７１が画成され、親バーナ混合管４１から供給される混合気が主炎口７１から噴出するようにしている。尚、燃焼性を良くするため、主炎口７１の大きさを２つ置きに小さくしている。
【００１９】
外筒部６１ａには、更に、その下端面から上方に窪む子バーナ炎口７２となる溝が周方向の間隔を存して複数形成されている。そして、これら溝の下端が外側筒体５１の上端部により閉塞されることで、外側筒体５１と下ヘッド部材６１との間に子バーナ炎口７２が画成され、子バーナ混合管４２から供給される混合気が子バーナ炎口７２から噴出するようにしている。
【００２０】
図２、図３を参照して、上ヘッド部材６２の下面には、複数の五徳合致領域６ａと同一の周方向部分に位置して、複数の脚片部６２ｂが垂設されており、これら脚片部６２ｂの下端部に、これに内接するようにしてＣ形リング６２ｃが装着されている。一方、下ヘッド部材６１の外筒部６１ａの内周面上部には、各五徳合致領域６ａに位置させて、各脚片部６５の挿入溝部６１ｃと、挿入溝部６１ｃの上端部両側から内方に突出する一対の爪部６１ｄとが形成されている。そして、上ヘッド部材６２を持ち上げたとき、リング６２ｃが爪部６１ｄに引掛り、リング６２ｃを縮径させない限り上ヘッド部材６２を取り外せないようにしている。
【００２１】
図４を参照して、子バーナ炎口７２は、混合気の噴出方向がバーナヘッド６の中心を通る径方向、即ち、バーナヘッド６の放射方向に一致するように形成されており、更に、子バーナ炎口７２のうちバーナヘッド６の周方向１箇所（本実施形態では、１つの五徳合致領域６ａの中央）に形成するものは点火炎口７２ａになっている。また、外筒部６１ａの外周面に、点火炎口７２ａの上方位置からバーナヘッド６の放射方向に突出するターゲット部６３を形成し、このターゲット部６３に下方から対向するように点火電極８を設置している（図１、図２参照）。そして、点火電極８とターゲット部６３との間での火花放電により点火炎口７２ａに点火して、点火炎口７２ａから子バーナ炎口７２に火移りさせ、主炎口７１から混合気を噴出させたときに、子バーナ炎口７２から主炎口７１に火移りさせるようにしている。
【００２２】
図５を参照して、各主炎口７１は、混合気噴出方向がバーナヘッド６の放射方向に対し周方向一方（本実施形態では、時計回り方向）に傾斜するように形成されている。これによれば、主炎口７１から噴出する混合気の燃焼で形成される火炎が放射方向に対し周方向一方に傾斜し、五徳２に載置する調理容器の底面に対する火炎の接触長さが長くなり、熱効率が向上する。この場合、五徳爪２２の長手方向がバーナヘッド６の放射方向に一致していると、各炎口形成領域の周方向一方の端部に形成する主炎口７１からのびる火炎が五徳爪２２に接触して不完全燃焼する。そこで、五徳爪２２の長手方向もバーナヘッド６の放射方向に対し時計回り方向に傾斜させ、火炎が五徳爪２２に接触することを防止できるようにしている。
【００２３】
更に、バーナヘッド６の放射方向に対する主炎口７１の混合気噴出方向の傾斜角度が、各炎口形成領域の周方向一方の端部に形成する主炎口７１よりも周方向他方（反時計回り方向）の端部に形成する主炎口７１の方が小さくなるようにしている。具体的に説明すれば、本実施形態では、各炎口形成領域の周方向一方の端部の主炎口７１の前記傾斜角度αを２５°、周方向他方の端部の主炎口７１の前記傾斜角度βを１０°に設定し、各炎口形成領域の周方向一方の端部に形成する主炎口７１から周方向他方の端部に形成する主炎口７１に向けて各主炎口７１の前記傾斜角度が１．５°ずつ順に小さくなるようにしている。尚、バーナヘッド６の放射方向に対する五徳爪２２の傾斜角度γは１０°に設定されている。
【００２４】
ここで、全ての主炎口７１の前記傾斜角度を２５°に設定すると、図５に仮想線で示す如く、周方向他方の端部の主炎口７１´を本実施形態より爪部６１ｄに近接した位置に形成しても、この主炎口７１´からのびる火炎（主炎口７１´の延長線）とこれに隣接する五徳爪２２との間の周方向間隔Ｌ´が比較的広くなる。そして、この間隔部分では調理容器を火炎で有効に加熱できないため、調理容器の加熱面積が減少してしまう。尚、バーナヘッド６に近い位置では、五徳爪２２の内方への延長線と主炎口７１´の延長線との間の周方向間隔が狭くなるが、このような近い位置では火炎が調理容器の底面に触れる程立ち上がらず、熱効率を向上させることができない。
【００２５】
これに対し、本実施形態では、各炎口形成領域の周方向他方の端部の主炎口７１の前記傾斜角度βを小さくするため、バーナヘッド６からある程度以上離れて火炎が調理容器の底面に触れる部分において、周方向他方の端部の主炎口７１からのびる火炎（主炎口７１の延長線）とこれに隣接する五徳爪２２との間の周方向間隔Ｌが上記間隔Ｌ´よりも狭くなる。そして、間隔Ｌが狭くなる分、調理容器の加熱面積が増加し、熱効率が向上する。
【００２６】
更に、本実施形態では、各主炎口７１の前記傾斜角度を、各炎口形成領域の周方向一方の端部に形成する主炎口７１から周方向他方の端部に形成する主炎口７１に向けて順に小さくしているため、各主炎口７１からのびる火炎とこれに隣接する主炎口７１からのびる火炎との間の角度が炎口形成領域全体に亘り均等になり、熱効率が可及的に向上する。
【００２７】
ところで、バーナヘッド６の外周部の周方向１箇所に形成する主炎口７１を点火炎口として、点火炎口から噴出する混合気に点火電極により点火することも考えられる。然し、これでは、バーナヘッド６の外周面に、点火電極に対向するターゲット部を、点火炎口からの混合気噴出方向に合わせて、バーナヘッド６の放射方向に対し周方向一方に傾斜した方向に突出するように形成することが必要になり、ターゲット部の加工が面倒になる。
【００２８】
ここで、コンロバーナ３が本実施形態の如く親子バーナである場合、ターンダウン比を大きくする上で、子バーナ炎口７２のみから混合気を噴出する弱火時における調理容器の加熱量をできるだけ小さくすることが必要である。そのためには、各子バーナ炎口７２を、本実施形態の如く混合気噴出方向がバーナヘッド６の放射方向に一致するように形成した方が良い。そして、バーナヘッド６の周方向１箇所に形成する子バーナ炎口を点火炎口７２ａとすれば、点火炎口７２ａからバーナヘッド６の放射方向に混合気が噴出するため、点火電極８に対向するターゲット部６３を、バーナヘッド６の外周面の点火炎口７２ａの上方位置から放射方向に突出するように形成すれば済む。その結果、ターゲット部６３の加工が容易になる。
【００２９】
以上、本発明の実施形態について図面を参照して説明したが、本発明はこれに限定されない。例えば、上記実施形態は、親子バーナから成るコンロバーナ３を備えるガスコンロであるが、子バーナ混合管４２及び子バーナ炎口７２を有しない通常のコンロバーナを備えるガスコンロにも同様に本発明を適用できる。
【符号の説明】
【００３０】
１…天板、１ａ…バーナ用開口、２…五徳、２２…五徳爪、３…コンロバーナ、６…バーナヘッド、６３…ターゲット部、７１…主炎口、７２…子バーナ炎口、７２ａ…点火炎口、８…点火電極。
【図１】
0005411240.tif 000002
【図２】
0005411240.tif 000003
【図３】
0005411240.tif 000004
【図４】
0005411240.tif 000005
【図５】
0005411240.tif 000006